(57)【要約】      （修正有）【課題】インテリア性に富むだけでなく、従来よりもフックの数を増やしつつ、フックに物を掛けた際に、掛けた物がお互いに干渉しあわないようにできる突っ張り棒ハンガー用フック部材及びそれを用いた突っ張り棒ハンガーを提供する。【解決手段】床面と天井との間に垂設される突っ張り棒ハンガーに用いられる突っ張り棒ハンガー用フック部材１０Ａであり、前記突っ張り棒に取り付けられるステム部１８と、前記ステム部の周面に垂直に取り付けられた長尺フック部２２と、前記長尺フック部が取り付けられた周面と反対側の前記ステム部の周面に垂直に取り付けられた短尺フック部２４と、前記ステム部の下部に取り付けられるストッパ部２６と、を有する。また、前記長尺フック部が、物を掛けるための胴体部２８と、胴体部の先端に設けられ且つ前記胴体部よりも径大とされた径大先端部３８とを備え、前記径大先端部が取り外し可能とされてなるようにした。【選択図】図１
0003174730.tif 000002
【実用新案登録請求の範囲】
【請求項１】
床面と天井との間に垂設される突っ張り棒と、前記突っ張り棒に取り付けられるフック部材と、を含む突っ張り棒ハンガーに用いられる突っ張り棒ハンガー用フック部材であり、
前記突っ張り棒に取り付けられるステム部と、
前記ステム部の周面に垂直に取り付けられた長尺フック部と、
前記長尺フック部が取り付けられた周面と反対側の前記ステム部の周面に垂直に取り付けられた短尺フック部と、
前記ステム部の下部に取り付けられるストッパ部と、
を有し、
前記長尺フック部が、物を掛けるための胴体部と、胴体部の先端に設けられ且つ前記胴体部よりも径大とされた径大先端部とを備え、前記径大先端部が取り外し可能とされてなることを特徴とする突っ張り棒ハンガー用フック部材。
【請求項２】
前記長尺フック部の胴体部が、前記径大先端部近傍で屈曲せしめられていることを特徴とする請求項１記載の突っ張り棒ハンガー用フック部材。
【請求項３】
前記短尺フック部の全長が、前記長尺フック部の全長の半分以下であることを特徴とする請求項１又は２記載の突っ張り棒ハンガー用フック部材。
【請求項４】
前記短尺フック部が、物を掛けるための胴体部と、胴体部の先端に設けられ且つ前記胴体部よりも径大とされた径大先端部とを備えることを特徴とする請求項１〜３いずれか１項記載の突っ張り棒ハンガー用フック部材。
【請求項５】
請求項１〜４いずれか１項記載の突っ張り棒ハンガー用フック部材が取り付けられてなることを特徴とする突っ張り棒ハンガー。
【請求項６】
複数個の前記突っ張り棒ハンガー用フック部材が、前記長尺フック部が互い違いとなるように、突っ張り棒に取り付けられてなることを特徴とする請求項５記載の突っ張り棒ハンガー。
【考案の詳細な説明】
【技術分野】
【０００１】
本考案は、床面と天井との間に突っ張った状態で使用し、雑貨や衣類などを掛けられるようにした突っ張り棒ハンガー用のフック部材及びそれを用いた突っ張り棒ハンガーに関する。
【背景技術】
【０００２】
従来、床面と天井との間に突っ張った状態で使用し、雑貨や衣類などを掛けられるようにした突っ張り棒ハンガーとして、例えば特許文献１や特許文献２に開示されたものが知られている。
【０００３】
しかしながら、従来の突っ張り棒ハンガーは、取り付けるフックの数を増やそうとすると、フックの全長の長さ全て同じであるため、フックに衣服などを掛けた際に、お互いに干渉しあってしまうという問題があった。
【０００４】
また、従来の突っ張り棒ハンガーのフックは、機能性を追求するばかりで、インテリア性に乏しいという問題もあった。
【先行技術文献】
【特許文献】
【０００５】
【特許文献１】実開平７−３４７４８
【特許文献２】実用新案登録第３１６３３３９号
【考案の開示】
【考案が解決しようとする課題】
【０００６】
本考案は、上記従来技術の問題点に鑑みてなされたもので、インテリア性に富むだけでなく、従来よりもフックの数を増やしつつ、フックに物を掛けた際に、掛けた物がお互いに干渉しあわないようにできる突っ張り棒ハンガー用フック部材及びそれを用いた突っ張り棒ハンガーを提供することを目的とする。
【課題を解決するための手段】
【０００７】
上記課題を解決するために、本考案の突っ張り棒ハンガー用フック部材は、床面と天井との間に垂設される突っ張り棒と、前記突っ張り棒に取り付けられるフック部材と、を含む突っ張り棒ハンガーに用いられる突っ張り棒ハンガー用フック部材であり、前記突っ張り棒に取り付けられるステム部と、前記ステム部の周面に垂直に取り付けられた長尺フック部と、前記長尺フック部が取り付けられた周面と反対側の前記ステム部の周面に垂直に取り付けられた短尺フック部と、前記ステム部の下部に取り付けられるストッパ部と、を有し、前記長尺フック部が、物を掛けるための胴体部と、胴体部の先端に設けられ且つ前記胴体部よりも径大とされた径大先端部とを備え、前記径大先端部が取り外し可能とされてなることを特徴とする。
【０００８】
このように構成すれば、長尺フック部と短尺フック部とがあるので、従来よりもフックの数を増やしつつ、フックに物を掛けた際に、掛けた物がお互いに干渉しあわないようにすることができる。また、長尺フック部の径大先端部が取り外し可能とされているため、バリエーションに富んだ径大先端部を用意しておけば、季節や趣味に応じて取り替えることで、インテリア性に富む突っ張り棒ハンガー用フック部材となる。
【０００９】
また、前記長尺フック部の胴体部が、前記径大先端部近傍で屈曲せしめられているのが好ましい。物がずり落ちるのを防止するためである。
【００１０】
前記短尺フック部の全長が、前記長尺フック部の全長の半分以下であるのが好ましい。このようにすれば、より好適に、フックに物を掛けてフック部材を回転させた際に、掛けた物がお互いに干渉しあわないようになる。
【００１１】
さらに、前記短尺フック部が、物を掛けるための胴体部と、胴体部の先端に設けられ且つ前記胴体部よりも径大とされた径大先端部とを備える構成とするのが好適である。
【００１２】
本考案の突っ張り棒ハンガーは、前記突っ張り棒ハンガー用フック部材を取り付けてなることを特徴とする。また、長尺フック部が互い違いとなるように、前記突っ張り棒ハンガー用フック部材を取り付けるのが好適である。
【００１３】
また、前記突っ張り棒ハンガーは、複数個の前記突っ張り棒ハンガー用フック部材が、前記長尺フック部が互い違いとなるように、突っ張り棒に取り付けられてなるのが好ましい。フックに物を掛けた際に、掛けた物がお互いに干渉しあわないようになるからである。
【考案の効果】
【００１４】
本考案によれば、インテリア性に富むだけでなく、従来よりもフックの数を増やしつつ、フックに物を掛けてフックを回転させた際に、掛けた物がお互いに干渉しあわないようにすることができる突っ張り棒ハンガー用フック部材及びそれを用いた突っ張り棒ハンガーを提供することができるという著大な効果を奏する。
【００１５】
本考案によれば、フックの数が増えるため、従来と比べて約２０％増の収容量を確保することができる。
【００１６】
また、先端が取り外し式となっているため、いろいろなアレンジが可能となり、先端別パーツの販売も可能となる。さらに、先端が取り外し式となっているため、梱包サイズも小さくすることができ、物流コストの削減にもなる。
【図面の簡単な説明】
【００１７】
【図１】本考案に係る突っ張り棒ハンガー用フック部材の一つの実施の形態を示す側面図である。
【図２】図１に係る突っ張り棒ハンガー用フック部材の分解図である。
【図３】図１の平面図である。
【図４】図１の（ａ）正面図及び（ｂ）背面図である。
【図５】図１に係る突っ張り棒ハンガー用フック部材を突っ張り棒に取り付けた状態を示す側面図である。
【図６】本考案に係る突っ張り棒ハンガー用フック部材の別の実施の形態を示す斜視図である。
【図７】本考案に係る突っ張り棒ハンガー用フック部材の他の実施の形態を示す斜視図である。
【考案を実施するための形態】
【００１８】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１９】
図１〜５において、符号１０Ａは突っ張り棒ハンガー用フック部材の一つの実施の形態を示す。
【００２０】
本考案の突っ張り棒ハンガー用フック部材１０Ａは、床面と天井との間に垂設される突っ張り棒１２と、前記突っ張り棒１２に取り付けられるフック部材１４と、を含む突っ張り棒ハンガー１６に用いられる突っ張り棒ハンガー用フック部材であり、前記突っ張り棒１２に取り付けられるステム部１８と、前記ステム部１８の周面２０に垂直に取り付けられた長尺フック部２２と、前記長尺フック部２２が取り付けられた周面２０と反対側の前記ステム部１８の周面２０に垂直に取り付けられた短尺フック部２４と、前記ステム部１８の下部１９に取り付けられるストッパ部２６と、を有し、前記長尺フック部２２が、物を掛けるための胴体部２８と、胴体部２８の先端に設けられ且つ前記胴体部２８よりも径大とされた径大先端部３０Ａとを備え、前記径大先端部３０Ａが取り外し可能とされている。
【００２１】
図示の例では、径大先端部３０Ａは胴体部２８に嵌合される構成とされているが、取り外し可能とされる限り、螺合その他の形態でももちろん適用可能である。また、図示の例では、径大先端部３０Ａは、緩やかな曲線を有する変形型百合の花のような形状をしており、突っ張り棒１２に取り付けて室内に置いたときに、インテリアとしても楽しめるものとなっている。
【００２２】
また、図２によく示される如く、前記ストッパ部２６は、前記ステム部１８の下部１９に螺合せしめられ、突っ張り棒ハンガー用フック部材１０Ａが突っ張り棒１２から脱落するのを防ぐ構成とされている。前記ストッパ部２６は、前記ステム部１８の下部１９に取り付けられる限り、嵌合その他の形態でももちろん適用可能である。
【００２３】
なお、前記ストッパ部２６は、その周面に滑り止め凸部３２を設けた例を示した。
【００２４】
前記ステム部１８は、図３によく示される如く、孔部３４を有する環状体とされており、前記突っ張り棒１２に嵌挿される。
【００２５】
さらに、図１及び図２によく示される如く、前記長尺フック部２２の胴体部２８は、前記径大先端部３０Ａの近傍で屈曲せしめられている。
【００２６】
そして、図２によく示される如く、前記短尺フック部２４の全長Ｌ１が、前記長尺フック部２２の全長Ｌ２の半分以下とされている。
【００２７】
また、図１及び図２によく示される如く、前記短尺フック部２４は、物を掛けるための胴体部３６と、胴体部３６の先端に設けられ且つ前記胴体部３６よりも径大とされた径大先端部３８とを備える構成とされている。
【００２８】
上記のように構成された突っ張り棒ハンガー用フック部材１０Ａを、突っ張り棒１２に取り付けると、図５に示す突っ張り棒ハンガー１６となる。
【００２９】
このように構成すれば、長尺フック部２２と短尺フック部２４とがあるので、従来よりもフックの数を増やしつつ、フックに物を掛けてフックを回転させた際に、掛けた物がお互いに干渉しあわないようにすることができる。また、長尺フック部２２の径大先端部３０Ａが取り外し可能とされているため、バリエーションに富んだ径大先端部を用意しておけば、季節や趣味に応じて取り替えることで、インテリア性に富む突っ張り棒ハンガーとなる。
【００３０】
また、図５の例では、複数個の前記突っ張り棒ハンガー用フック部材１０Ａが、前記長尺フック部２２が互い違いとなるように、突っ張り棒１２に取り付けられているため、フックに物を掛けた際に、掛けた物がお互いに干渉しあわないようになっている。
【００３１】
図６の例では、前記突っ張り棒ハンガー用フック部材１０Ａから前記径大先端部３０Ａを取り外し、径大先端部３０Ｂを取り付けて突っ張り棒ハンガー用フック部材１０Ｂとした例を示した。突っ張り棒ハンガー用フック部材１０Ｂの径大先端部３０Ｂは、丸形をしており、突っ張り棒１２に取り付けて室内に置いたときに、インテリアとしても楽しめるものとなっている。
【００３２】
図７の例では、前記突っ張り棒ハンガー用フック部材１０Ａから前記径大先端部３０Ａを取り外し、径大先端部３０Ｃを取り付けて突っ張り棒ハンガー用フック部材１０Ｃとした例を示した。突っ張り棒ハンガー用フック部材１０Ｃの径大先端部３０Ｃは、犬形をしており、突っ張り棒１２に取り付けて室内に置いたときに、インテリアとしても楽しめるものとなっている。
【００３３】
なお、径大先端部は、図示例に限定したものではなく、卵形、角形、三角形やキャラクターなど、種々のアレンジを加えたものとすることができる。
【符号の説明】
【００３４】
１０Ａ，１０Ｂ，１０Ｃ：突っ張り棒ハンガー用フック部材、１２：突っ張り棒、１４：フック部材、１６：突っ張り棒ハンガー、１８：ステム部、１９：下部、２０：周面、２２：長尺フック部、２４：短尺フック部、２６：ストッパ部、２８：胴体部、３０Ａ，３０Ｂ，３０Ｃ，３８：径大先端部、３２：滑り止め凸部、３４：孔部、３６：胴体部、Ｌ１，Ｌ２：全長。
【図１】
0003174730.tif 000003
【図２】
0003174730.tif 000004
【図３】
0003174730.tif 000005
【図４】
0003174730.tif 000006
【図５】
0003174730.tif 000007
【図６】
0003174730.tif 000008
【図７】
0003174730.tif 000009